(57)【要約】　　　（修正有）【課題】切断時に効率良く力が出せ、開閉ストロークも小さくてよい二重梃子式鋏を提供する。【解決手段】長辺側の握り部を握って狭小することで共通の第一支点１ａ、１ｂの回りを回動して短辺側を拡大する第一梃子３と、長辺が第一梃子の短辺７にそれぞれピンで枢着され、この短辺の拡大に伴う拡大によってそれぞれ別に設けられた第二支点４の回りを回動して短辺側の刃を閉じる第二梃子６とからなる二重梃子式鋏において、第一支点をそれぞれ別に設けるとともに、第一梃子の短辺と第二梃子の長辺８とをそれぞれ当接させてこの点を作用点とし、第二支点と作用点とを結ぶ作用線と作用点が進行する進行線とが交差してできる作用角を動作初期から終期にかけて漸大させるとともに、終期では略９０°になるように設定したことを特徴とする二重梃子式鋏。【選択図】　　図２
2004057695.tif 000002
【特許請求の範囲】
【請求項１】
長辺側の握り部を握って狭小することで共通の第一支点の回りを回動して短辺側を拡大する第一梃子と、長辺が第一梃子の短辺にそれぞれピンで枢着され、この短辺の拡大に伴う拡大によってそれぞれ別に設けられた第二支点の回りを回動して短辺側の刃を閉じる第二梃子とからなる二重梃子式鋏において、第一支点をそれぞれ別に設けるとともに、第一梃子の短辺と第二梃子の長辺とをそれぞれ当接させてこの点を作用点とし、第二支点と作用点とを結ぶ作用線と作用点が進行する進行線とが交差してできる作用角を動作初期から終期にかけて漸大させるとともに、終期では略９０°になるように設定したことを特徴とする二重梃子式鋏。
【請求項２】
動作初期における第二梃子の長辺の端部を第一梃子の作用点の進行線に対して略直角な傾斜面に形成するとともに、第一梃子の短辺の端部にローラを取り付け、このローラを傾斜面に当接させた請求項１の二重梃子式鋏。
【請求項３】
第二梃子同士の対向面を噛み合わせて左右の握り部が対称の動きをするようにした請求項１又は２の二重梃子式鋏。
【請求項４】
刃が剪断作用又は押切り作用をするものである請求項１〜３いずれかの二重梃子式鋏。
【発明の詳細な説明】
【０００１】
【発明の属する技術分野】
本発明は、軽い操作力で強い切断力を発揮する二重梃子式鋏に関する。
【０００２】
【従来の技術】
梃子を二つ重ねた二重梃子式鋏（押切りするペンチ等も含む、以下同じ）は、従来より存在する。図３に示すのはこの二重梃子式ペンチの一例を示す一部断面平面図であるが、これにおいて、共通する第一支点１の回りを回動して長辺２、２側を握り部２ａ、２ａとした第一梃子３、３と、それぞれ別に設けられた第二支点４、４の回りを回動して短辺５、５側を刃５ａ、５ａとした第二梃子６、６とを左右対称に一対ずつ設け、第一梃子３、３の短辺７、７の端部と第二梃子６、６の長辺８、８の端部をそれぞれピン９、９で連結したものである。
【０００３】
これによると、第一梃子３、３の梃子作用によって増力された短辺７、７は、第二梃子６、６の短辺５、５を梃子作用によって更に二重に増力することになるから、第二梃子６、６の短辺５、５即ち、刃５ａ、５ａに非常に大きな力が付与されることになる。従って、切断力が強く、硬い物、例えば、金属線等を切断するペンチや鋏に最適である。
【０００４】
【発明が解決しようとする課題】
ところが、上記のような構成であると、第二支点４、４とピン９、９とを結ぶ作用線ａ、ａと、ピン９、９が進行する進行線（第一支点１を中心とするピン９の接線）ｂ、ｂとが交差する角度、即ち、作用角αにおいて、動作初期の作用角α１　で既に９０°を越えており、これが動作終期に至る間に漸大することになり、動作終期の作用角α２　は更に大きな角度になっている。
【０００５】
これは、第一支点１が一個のみ設けられるものであり、第一梃子３、３の長辺２、２間を狭めるに伴ってピン９、９が第二支点４、４から遠ざかることに起因している。作用角αが９０°に近い方がロスがなく、軽い力で操作できるのは言うまでもないが、本例では、これに加えて、切断する直前である動作終期では、作用角がますます大きくなって更に大きなロスを発生するものになっている。従って、切断には大きな操作力が要求され、せっかくの二重梃子の利点が生かしきれていない。
【０００６】
一方、この切断時に大きな力が出せるようにすると、握り部２ａ、２ａのストロークは必然的に大きくなり、掌の小さい女子や子供では握れないといった問題も発生する。本発明は、このような課題を解決したものであり、二重梃子による増力効果を最大限に取り込み、軽い力で切断ができるようにするとともに、併せてストロークの短小化を図り、誰でもが容易に握れるようにしたものである。
【０００７】
【課題を解決するための手段】
以上の課題の下、本発明は、請求項１に記載した、長辺側の握り部を握って狭小することで共通の第一支点の回りを回動して短辺側を拡大する第一梃子と、長辺が第一梃子の短辺にそれぞれピンで枢着され、この短辺の拡大に伴う拡大によってそれぞれ別に設けられた第二支点の回りを回動して短辺側の刃を閉じる第二梃子とからなる二重梃子式鋏において、第一支点をそれぞれ別に設けるとともに、第一梃子の短辺と第二梃子の長辺とをそれぞれ当接させてこの点を作用点とし、第二支点と作用点とを結ぶ作用線と作用点が進行する進行線とが交差してできる作用角を動作初期から終期にかけて漸大させるとともに、終期では略９０°になるように設定したことを特徴とする二重梃子式鋏を提供したものである。
【０００８】
以上の手段によると、作用角は動作初期には９０°より小さいものの、最大の力を要求される動作終期には略９０°になるから、切断に要する操作力は軽くて済む。尚、動作に伴って第一支点と作用点の長さ及び第二支点と作用点の長さは違ってくるから、本発明では、第一梃子の短辺と第二梃子の長辺とをそれぞれ当接させてこの点を作用点としているが、このとき、請求項２に記載した、動作初期における第二梃子の長辺の端部を第一梃子の作用点の進行線に対して略直角な傾斜面に形成するとともに、第一梃子の短辺の端部にローラを取り付け、このローラを傾斜面に当接させたものにすれば、第一梃子の力を第二梃子が効率良く受け取ることができるとともに、作用点が転がり接触となって摩擦抵抗が減ずる。
【０００９】
更に、請求項３に記載した、第二梃子同士の対向面を噛み合わせて左右の握り部が対称の動きをするようにすれば、左右の握り部に加わる力が異なったとしても、両方の第一梃子及び第二梃子が同じを動きをして切断作用を阻害しない。
【００１０】
【発明の実施の形態】
以下、本発明の実施の形態を図面を参照して説明する。図１は本発明に係る二重梃子式ペンチ（鋏の場合も同じ）の一例を示す動作初期における平面図、図２は同じく動作終期における平面図、図３は図１のＡーＡ断面図であるが、これにおいて、従来例と同じ部材については同じ符号を使用してその説明は省略する。本例の二重梃子式ペンチ（以下、ペンチ）が従来のペンチと大きく違う点は、第一支点１を左右１ａ、１ｂに分けて別々に設けた点と、第一梃子３、３の短辺７、７側の端部を第二梃子６の長辺８、８側の端部に当てて、この点を作用点Ｒ、Ｒとしている点である。
【００１１】
この場合、左第一支点１ａと右第一支点１ｂとの間隔は、作用点Ｒ、Ｒの間隔より広く設定されている。そして、第一梃子３、３の短辺７、７と第二梃子６、６の長辺８、８とが当接する部分を、第二梃子６、６の長辺８、８の端部を動作初期における作用点Ｒ、Ｒが進行する方向に略直角な傾斜面８ａ、８ａに形成するとともに、第一梃子３、３の当接点にローラ１０、１０を設けて、このローラ１０、１０で傾斜面８ａ、８ａに当接するようにしている。
【００１２】
更に、本例では、第一梃子３、３の対向面同士に歯形１１ａ、１１ｂを形成し、この歯形１１ａ、１１ｂを噛み合わせている。尚、この歯形１１ａ、１１ｂ形成は一例であって、要は、一方の動きによって他方が同じ動きをするものであればよい。従って、どちらの握り部２ａ、２ａだけを狭小操作しても、第一梃子３、３は左右で同じ動きをする。この他、第二梃子６、６の長辺８、８間には、両者を閉じ方向に付勢するスプリング１２が張られ、又、第一梃子３、３の短辺７、７の対向面には、初期状態を越えての接近を規制するストッパ１３、１３も設けられている。
【００１３】
更に、以上の第一支点１ａ、１ｂ及び第二支点４、４は、位置が固定されなければならないから、本体枠１４を設けてこれに第一支点１ａ、１ｂ及び第二支点４、４を枢着している。尚、これら第一梃子３、３、第二梃子６、６及び本体枠１４等には適宜ぬすみ等を設けて重量を軽くするのが好ましい。
【００１４】
以上のペンチが動作初期にあるとき、作用線ａ、ａと進行線ｂ、ｂとが交差する作用角αのうちの初期作用角α１　は９０°より小さくなっているが、第一梃子３、３の握り部２ａ、２ａを握って第二梃子６、６の短辺５、５、即ち、刃５ａ、５ａを狭小化するに伴って漸大して行き、刃５ａ、５ａ同士が合わさった動作終期における作用角α２　は略９０°になるように設定されている。
【００１５】
これは、左右第一支点２ａ、２ｂの間隔が作用点Ｒ、Ｒの間隔よりも大きく設定されており、作用点Ｒ、Ｒが進行すると、第二支点４、４側に近づくような構成によって可能にしている。従って、刃５ａ、５ａが切断するときには、力のロスがなく、最大限の力が出せることになる。このことから、第一梃子３、３の長辺２、２のストロークをむやみに大きくとる必要はなく、動作初期における間隔を狭くでき、女子や子供でも容易に握れるようにできる。
【００１６】
【発明の効果】
以上、本発明は上記したものであるから、鋏、ペンチにとって最大の力を必要とされる刃同士が合わさるときに操作力を効率良く刃に伝えることができるから、軽い力で切断できる。又、握り部のストロークは小さくてもよいから、初期の間隔が広くなくてもよくなり、小さい掌でも握ることができる。
【図面の簡単な説明】
【図１】本発明の一例を示す二重梃子式鋏の動作初期における平面図である。
【図２】本発明の一例を示す二重梃子式鋏の動作終期における平面図である。
【図３】図１のＡーＡ断面図である。
【図４】従来例の二重梃子式鋏の平面図である。
【符号の説明】
１　　　第一支点
２　　　　　〃　の長辺
２ａ　　　　〃　の握り部
３　　　第一梃子
４　　　第二支点
５　　　第二梃子の短辺
５ａ　　　　〃　の刃
６　　　第二梃子
７　　　第一梃子の短辺
８　　　第二梃子の長辺
９　　　ピン
１０　　ローラ
１１ａ　歯形
１１ｂ　歯形
１２　　スプリング
１３　　ストッパ
１４　　本体枠
【図１】
2004057695.tif 000003
【図２】
2004057695.tif 000004
【図３】
2004057695.tif 000005
【図４】
2004057695.tif 000006